(57)【要約】【課題】取得した生体情報によりユーザを短時間で認証することができる生体認証システムおよび生体認証方法を提供する。【解決手段】複数のユーザの生体情報（指紋）を記憶する第１記憶部を有するサーバと、一部のユーザの生体情報を記憶する第２記憶部と生体情報をユーザから取得する生体情報取得部（指紋認証デバイス）を有する生体認証装置（生産設備）を備えてユーザを認証する生体認証システムにおいて、生体情報取得部はユーザの生体情報を取得し（ＳＴ１）、生体認証装置は取得された生体情報を第２記憶部に記憶された生体情報と照合し（ＳＴ２）、照合できない場合は（ＳＴ３においてＮｏ）生体情報をサーバに送信し、サーバは送信された生体情報を第１記憶部に記憶された生体情報で照合し、照合できた場合は第１記憶部に記憶されている生体情報を生体認証装置に送信し、生体認証装置は送信された生体情報を第２記憶部に記憶させる（ＳＴ４）。【選択図】図７
2019200633.tif 000002
【特許請求の範囲】
【請求項１】
生体認証装置とサーバを備えてユーザを認証する生体認証システムにおいて、
前記サーバは、
複数のユーザの生体情報を記憶する第１記憶部と、
前記生体認証装置から送信された生体情報を前記第１記憶部に記憶された前記生体情報と照合する第１照合部と、を備え、
前記生体認証装置は、
前記複数のユーザのうちの一部のユーザの生体情報を記憶する第２記憶部と、
生体情報をユーザから取得する生体情報取得部と、
前記生体情報取得部によって取得された前記生体情報を前記第２記憶部に記憶された前記生体情報と照合する第２照合部と、
前記サーバに所定の情報を送信し、前記サーバから所定の情報を受信する通信部と、
前記第２記憶部の情報を更新する更新部と、を備え、
前記通信部は、取得された前記生体情報を前記第２照合部が照合できない場合、取得された前記生体情報を前記サーバに送信し、
前記サーバは、送信された前記生体情報を前記第１照合部が照合できた場合、前記第１記憶部に記憶されている前記第１照合部によって照合された生体情報を前記通信部に送信し、
前記更新部は、前記通信部が受信した前記生体情報を前記第２記憶部に記憶させる、生体認証システム。
【請求項２】
前記第１記憶部は、前記複数のユーザの識別情報と更新日時をさらに記憶し、
前記第２記憶部は、前記一部のユーザの識別情報と更新日時をさらに記憶し、
前記通信部は、取得された前記生体情報を前記第２照合部が照合できた場合、前記第２記憶部に記憶されている前記第２照合部によって照合された前記生体情報に対応するユーザの識別情報と更新日時を前記サーバに送信し、
前記サーバは、送信された前記更新日時が前記第１記憶部に記憶されている送信された前記識別情報と同じユーザの更新日時より古い場合、前記第１記憶部に記憶されている前記ユーザの生体情報と更新日時を前記通信部に送信し、
前記更新部は、前記通信部が受信した前記生体情報と前記更新日時に基づいて前記第２記憶部の情報を更新する、請求項１に記載の生体認証システム。
【請求項３】
前記サーバは、送信された前記更新日時が前記第１記憶部に記憶されている送信された前記識別情報と同じユーザの更新日時と一致する場合、前記ユーザの情報が最新である旨を前記通信部に送信する、請求項２に記載の生体認証システム。
【請求項４】
前記第１記憶部は、前記複数のユーザの操作権限情報をさらに記憶し、
前記第２記憶部は、前記一部のユーザの操作権限情報をさらに記憶し、
前記サーバは、前記第１記憶部に記憶されている生体情報を前記通信部に送信する場合、前記第１記憶部に記憶されている前記生体情報に対応するユーザの操作権限情報も合わせて送信し、
前記更新部は、前記通信部が受信した前記生体情報と前記操作権限情報に基づいて前記第２記憶部の情報を更新する、請求項１または２に記載の生体認証システム。
【請求項５】
送信された前記生体情報を前記第１照合部が照合できない場合、その旨を報知する報知部を備える、請求項１に記載の生体認証システム。
【請求項６】
前記第２記憶部は、前記一部のユーザの認証がされた最終認証日時をさらに記憶し、
前記更新部は、前記最終認証日時が所定日時より古いユーザの情報を前記第２記憶部から削除する、請求項１に記載の生体認証システム。
【請求項７】
前記第２記憶部は、前記一部のユーザの認証がされた最終認証日時をさらに記憶し、
予め設定された最大数のユーザの情報が前記第２記憶部に記憶されている場合、
前記更新部は、前記最終認証日時が最も古いユーザの情報を前記第２記憶部から削除し、前記通信部が受信した前記生体情報を前記第２記憶部に記憶させる、請求項１に記載の生体認証システム。
【請求項８】
前記生体認証装置は、製品を生産する生産設備に備えられる、請求項１から７のいずれかに記載の生体認証システム。
【請求項９】
前記生体認証装置は、製品を生産する生産設備に備えられ、
前記生産設備は、前記第２記憶部に記憶されている認証された前記ユーザの操作権限情報に基づいて、実行可能な操作を変更する、請求項８に記載の生体認証システム。
【請求項１０】
生産する前記製品は部品を実装した実装基板であり、前記生産設備は部品実装用装置である、請求項８または９に記載の生体認証システム。
【請求項１１】
複数のユーザの生体情報を記憶する第１記憶部を有するサーバと、前記複数のユーザのうちの一部のユーザの生体情報を記憶する第２記憶部と生体情報をユーザから取得する生体情報取得部を有する生体認証装置と、を備える生体認証システムにおいてユーザを認証する生体認証方法において、
前記生体情報取得部は、ユーザの生体情報を取得し、
前記生体認証装置は、取得された前記生体情報を前記第２記憶部に記憶された前記生体情報と照合し、
取得された前記生体情報を照合できない場合、取得された前記生体情報を前記サーバに送信し、
前記サーバは、送信された前記生体情報を前記第１記憶部に記憶された前記生体情報と照合し、
送信された前記生体情報を照合できた場合、前記第１記憶部に記憶されている照合された前記生体情報を前記生体認証装置に送信し、
前記生体認証装置は、送信された前記生体情報を前記第２記憶部に記憶させる、生体認証方法。
【請求項１２】
前記第１記憶は、前記複数のユーザの識別情報と更新日時をさらに記憶し、
前記第２記憶部は、前記一部のユーザの識別情報と更新日時をさらに記憶し、
前記生体認証装置は、取得された前記生体情報を照合できた場合、前記第２記憶部に記憶されている照合された前記生体情報に対応するユーザの識別情報と更新日時を前記サーバに送信し、
前記サーバは、送信された前記更新日時が前記第１記憶部に記憶されている送信された前記識別情報と同じユーザの更新日時より古い場合、前記第１記憶部に記憶されている前記ユーザの生体情報と更新日時を前記生体認証装置に送信し、
前記生体認証装置は、受信した前記生体情報と前記更新日時に基づいて前記第２記憶部の情報を更新する、請求項１１に記載の生体認証方法。
【請求項１３】
前記サーバは、送信された前記更新日時が前記第１記憶部に記憶されている送信された前記識別情報と同じユーザの更新日時と一致する場合、前記ユーザの情報が最新である旨を前記生体認証装置に送信する、請求項１２に記載の生体認証方法。
【請求項１４】
前記第１記憶部は、前記複数のユーザの操作権限情報をさらに記憶し、
前記第２記憶部は、前記一部のユーザの操作権限情報をさらに記憶し、
前記サーバは、前記第１記憶部に記憶されている生体情報を前記生体認証装置に送信する場合、前記第１記憶部に記憶されている前記生体情報に対応するユーザの操作権限情報も合わせて送信し、
前記生体認証装置は、送信された前記生体情報と前記操作権限情報に基づいて前記第２記憶部の情報を更新する、請求項１１または１２に記載の生体認証方法。
【請求項１５】
前記サーバは、送信された前記生体情報を照合できない場合、その旨を報知する、請求項１１に記載の生体認証方法。
【請求項１６】
前記第２記憶部は、前記一部のユーザの認証がされた最終認証日時をさらに記憶し、
前記生体認証装置は、前記最終認証日時が所定日時より古いユーザの情報を前記第２記憶部から削除する、請求項１１に記載の生体認証方法。
【請求項１７】
前記第２記憶部は、前記一部のユーザの認証がされた最終認証日時をさらに記憶し、
予め設定された最大数のユーザの情報が前記第２記憶部に記憶されている場合、
前記生体認証装置は、前記最終認証日時が最も古いユーザの情報を前記第２記憶部から削除し、送信された前記生体情報を前記第２記憶部に記憶する、請求項１１に記載の生体認証方法。
【発明の詳細な説明】
【技術分野】
【０００１】
本発明は、生体情報を取得してユーザを認証する生体認証システムおよび生体認証方法に関する。
【背景技術】
【０００２】
生体情報である指紋データを読み取る指紋読取部を有する複数の生産設備を備え、ユーザ（操作者）の指紋データを認証してその操作者の操作レベルに応じた操作権限を生産設備に設定する生産設備システムが知られている（例えば、特許文献１）。特許文献１の生産設備システムでは、指紋読取部で読み取った指紋データをネットワークを介して接続された認証サーバに送信し、認証サーバに記憶された指紋認証用データベースに基づいて認証サーバが操作者を認証し、認証サーバによる認証結果に基づいて操作権限を生産設備に設定している。
【先行技術文献】
【特許文献】
【０００３】
【特許文献１】特開２０１２―２４３０４６号公報
【発明の概要】
【発明が解決しようとする課題】
【０００４】
しかしながら、特許文献１を含む従来技術では、多数の生産設備を備える大規模な生産設備システムの場合、認証サーバに記憶される指紋データの数も膨大となり、ユーザの認証に要する処理時間が長くなるという問題点があった。
【０００５】
そこで本発明は、取得した生体情報によりユーザを短時間で認証することができる生体認証システムおよび生体認証方法を提供することを目的とする。
【課題を解決するための手段】
【０００６】
本発明の生体認証システムは、生体認証装置とサーバを備えてユーザを認証する生体認証システムにおいて、前記サーバは、複数のユーザの生体情報を記憶する第１記憶部と、前記生体認証装置から送信された生体情報を前記第１記憶部に記憶された前記生体情報と照合する第１照合部と、を備え、前記生体認証装置は、前記複数のユーザのうちの一部のユーザの生体情報を記憶する第２記憶部と、生体情報をユーザから取得する生体情報取得部と、前記生体情報取得部によって取得された前記生体情報を前記第２記憶部に記憶された前記生体情報と照合する第２照合部と、前記サーバに所定の情報を送信し、前記サーバから所定の情報を受信する通信部と、前記第２記憶部の情報を更新する更新部と、を備え、前記通信部は、取得された前記生体情報を前記第２照合部が照合できない場合、取得された前記生体情報を前記サーバに送信し、前記サーバは、送信された前記生体情報を前記第１照合部が照合できた場合、前記第１記憶部に記憶されている前記第１照合部によって照合された生体情報を前記通信部に送信し、前記更新部は、前記通信部が受信した前記生体情報を前記第２記憶部に記憶させる。
【０００７】
本発明の生体認証方法は、複数のユーザの生体情報を記憶する第１記憶部を有するサーバと、前記複数のユーザのうちの一部のユーザの生体情報を記憶する第２記憶部と生体情報をユーザから取得する生体情報取得部を有する生体認証装置と、を備える生体認証システムにおいてユーザを認証する生体認証方法において、前記生体情報取得部は、ユーザの生体情報を取得し、前記生体認証装置は、取得された前記生体情報を前記第２記憶部に記憶された前記生体情報と照合し、取得された前記生体情報を照合できない場合、取得された前記生体情報を前記サーバに送信し、前記サーバは、送信された前記生体情報を前記第１記憶部に記憶された前記生体情報と照合し、送信された前記生体情報を照合できた場合、前記第１記憶部に記憶されている照合された前記生体情報を前記生体認証装置に送信し、前記生体認証装置は、送信された前記生体情報を前記第２記憶部に記憶させる。
【発明の効果】
【０００８】
本発明によれば、取得した生体情報によりユーザを短時間で認証することができる。
【図面の簡単な説明】
【０００９】
【図１】本発明の一実施の形態の部品実装システムの構成説明図
【図２】本発明の一実施の形態の部品実装装置（生産設備）の構成説明図
【図３】本発明の一実施の形態の部品実装システム（生体認証システム）の構成を示すブロック図
【図４】本発明の一実施の形態の管理コンピュータ（サーバ）に記憶されるユーザリストの一例を示す説明図
【図５】本発明の一実施の形態の部品実装装置（生体認証装置）に記憶されるユーザリストの一例を示す説明図
【図６】本発明の一実施の形態の部品実装装置における操作権限の一例を示す説明図
【図７】本発明の一実施の形態の生体認証方法のフロー図
【図８】本発明の一実施の形態の生体認証方法における照合不可認証処理のフロー図
【図９】本発明の一実施の形態の生体認証方法における追加更新処理のフロー図
【図１０】本発明の一実施の形態の生体認証方法における照合後認証処理のフロー図
【発明を実施するための形態】
【００１０】
以下に図面を用いて、本発明の一実施の形態を詳細に説明する。以下で述べる構成、形状等は説明のための例示であって、部品実装システム、部品実装ライン、管理コンピュータ、部品実装用装置などの仕様に応じ、適宜変更が可能である。以下では、全ての図面において対応する要素には同一符号を付し、重複する説明を省略する。
【００１１】
まず図１を参照して、部品実装システム１の構成を説明する。部品実装システム１は、部品実装ラインＬ１を通信ネットワーク２によって接続し、全体が管理コンピュータ３によって管理される構成の生産システムである。部品実装ラインＬ１には、基板搬送方向の上流側から下流側に向けて、部品実装用装置（生産設備）である基板供給装置Ｍ１、はんだ印刷装置Ｍ２、印刷後検査装置Ｍ３、部品実装装置Ｍ４〜Ｍ６、実装後検査装置Ｍ７、リフロー装置Ｍ８及び基板回収装置Ｍ９が直列に連結されている。
【００１２】
図１において、基板供給装置Ｍ１は、実装対象の基板を供給する機能を有している部品実装用装置である。はんだ印刷装置Ｍ２は、はんだ印刷作業部によって実装対象の基板にはんだを印刷するはんだ印刷作業を実行する部品実装用装置である。印刷後検査装置Ｍ３は、はんだ検査カメラを備えるはんだ印刷後検査作業部によって、基板に印刷されたはんだの印刷状態を検査するはんだ印刷後検査作業を実行する部品実装用装置である。部品実装装置Ｍ４〜Ｍ６は、それぞれ部品実装作業部によって基板に部品を実装する部品実装作業を実行する部品実装用装置である。
【００１３】
実装後検査装置Ｍ７は、部品検査カメラを備える部品実装後検査作業部によって、基板に実装された部品の実装状態を検査する部品実装後検査作業を実行する部品実装用装置である。リフロー装置Ｍ８は、装置内に搬入された基板を基板加熱部によって加熱して、基板上のはんだを硬化させ、基板の電極部と部品とを接合する基板加熱作業を実行する部品実装用装置である。基板回収装置Ｍ９は、部品が実装された基板を回収する機能を有している部品実装用装置である。
【００１４】
部品実装ラインＬ１では、複数の部品実装用装置によって順に、はんだ印刷作業、はんだ印刷後検査作業、部品実装作業、部品実装後検査作業、基板加熱作業が実行されて、基板にはんだを介して部品を実装した実装基板が生産される。このように、部品実装用装置は、製品である実装基板を生産する生産設備である。各部品実装用装置には、指紋などの生体情報を取得する生体情報取得部が設置されている。ユーザは、各部品実装用装置を操作する際に、生体情報取得部を使用した認証を行う。通信ネットワーク２には、ユーザの生体情報などを登録する登録用端末４が接続されている。
【００１５】
なお、部品実装ラインＬ１は通信ネットワーク２を介して接続される生産設備群であり、物理的に生産設備同士が連結されていなくてもよい。また、部品実装ラインＬ１は上記の構成に限定されることなく、部品実装装置Ｍ４〜Ｍ６が１台、２台であっても４台以上であってもよい。また、部品実装システム１は、複数の部品実装ラインＬ１を同一の管理コンピュータ３で制御する構成であってもよい。また、管理コンピュータ３が登録用端末４の機能を兼用してもよい。
【００１６】
次に図２を参照して、部品実装装置Ｍ４〜Ｍ６の構成を説明する。部品実装装置Ｍ４〜Ｍ６は同様の構成をしており、以下、部品実装装置Ｍ４について説明する。部品実装装置Ｍ４においてユーザが作業を行う前面の右上部には、操作パネルＰが設けられている。操作パネルＰには、タッチパネル５、指紋認証デバイス６が設置されている。
【００１７】
タッチパネル５は、液晶パネルなどの表示部と、表示部の表面に設置された入力装置であるタッチ入力部を備えている。タッチパネル５は、作業パラメータ、オプション情報、報知情報などの各種情報、各種操作画面などを表示する。またユーザは、タッチパネル５を操作（タッチ）することにより、各種コマンドや各種情報などを入力することができる。指紋認証デバイス６は指紋認証センサを備えており、ユーザの指紋を読み取る。すなわち、指紋認証デバイス６は、生体情報である指紋をユーザから取得する生体情報取得部である。
【００１８】
図２において、部品実装装置Ｍ４の前面中央の上方には、基板に部品を実装する実装ヘッド（図示省略）、実装ヘッドを水平移動させるヘッド移動機構（図示省略）などの可動部にユーザが誤って触れないように保護する安全カバー７が設置されている。部品実装装置Ｍ４の前面中央の下方（安全カバー７の下方）には、上部に複数のテープフィーダ８を並列に保持する台車９が装着されている。テープフィーダ８は、部品供給テープに収納される部品を部品実装装置Ｍ４に供給する。このように、部品実装装置Ｍ４において、実装ヘッド、ヘッド移動機構、テープフィーダ８は、基板に部品を実装する部品実装作業を実行する部品実装作業部３１（図３参照）を構成している。
【００１９】
上記のように、部品実装システム１は、指紋認証デバイス６を備える生産設備である部品実装装置Ｍ４〜Ｍ６を含む部品実装ラインＬ１、管理コンピュータ３、登録用端末４が通信ネットワーク２によって接続された構成をしている。次に図３を参照して、部品実装システム１の処理系の構成について説明する。ここでは、部品実装システム１のうち、生体認証処理を実行する部品実装装置Ｍ４〜Ｍ６、管理コンピュータ３、登録用端末４の処理系について説明する。
【００２０】
図３において、管理コンピュータ３は、管理制御部１０、管理記憶部１１、管理照合部１２、管理認証処理部１３、管理データ更新部１４、管理入力部１５、管理表示部１６、管理通信部１７を備えている。管理入力部１５は、キーボード、タッチパネル、マウスなどの入力装置であり、操作コマンドやデータ入力時などに用いられる。管理表示部１６は液晶パネルなどの表示装置であり、各種データや操作画面などを表示する。管理通信部１７は通信インターフェースであり、通信ネットワーク２を介して部品実装ラインＬ１を構成する部品実装装置Ｍ４〜Ｍ６を含む部品実装用装置（生産設備）、登録用端末４との間で信号、データの授受を行う。
【００２１】
管理制御部１０はＣＰＵなどの演算装置であり、管理記憶部１１が記憶する情報に基づいて部品実装ラインＬ１による実装基板の生産を統括して制御する。管理記憶部１１は記憶装置であり、管理実装データ１１ａ、管理ユーザリスト１１ｂ、管理指紋データ１１ｃなどを記憶する。管理実装データ１１ａは、部品実装ラインＬ１を構成する部品実装用装置において実装基板を生産するための作業に必要な情報などが、生産する実装基板の種類毎に記憶されている。管理ユーザリスト１１ｂには、管理コンピュータ３によって管理されているいずれかの部品実装用装置（生産設備）を操作する全てのユーザに関するユーザ情報がリスト形式で記憶されている。
【００２２】
ここで図４を参照して、管理ユーザリスト１１ｂの詳細について説明する。管理ユーザリスト１１ｂには、ユーザ番号４１、ユーザ名４２、生体情報番号４３、操作権限レベル４４、更新日時４５が含まれている。ユーザ番号４１は、社員番号などユーザを特定する情報（識別情報）である。ユーザ名４２は、部品実装装置Ｍ４〜Ｍ６のタッチパネル５などに表示するユーザの氏名など情報である。生体情報番号４３は、管理指紋データ１１ｃとして記憶されている生体情報をユーザ情報と関連付けする情報である。操作権限レベル４４は、ユーザが各生産設備において実行可能な操作のレベルを示す情報である。更新日時４５は、ユーザ情報が管理ユーザリスト１１ｂに新規に登録された日時、またはユーザ情報が更新された日時である。
【００２３】
図３において、管理指紋データ１１ｃには、全てのユーザの生体情報が管理ユーザリスト１１ｂの生体情報番号４３と関連付けして記憶されている。このように、管理記憶部１１は、複数のユーザの生体情報（管理指紋データ１１ｃ）、識別情報（ユーザ番号４１）、操作権限情報（操作権限レベル４４）、更新日時４５などを記憶する第１記憶部である。
【００２４】
管理照合部１２は、部品実装装置Ｍ４〜Ｍ６などの生産設備から送信された生体情報を管理指紋データ１１ｃに記憶されている生体情報と照合して、一致する生体情報に対応するユーザのユーザ番号４１を特定する管理照合処理を実行する。すなわち、管理照合部１２は、生産設備（生体認証装置）から送信された生体情報を管理記憶部１１（第１記憶部）に記憶された生体情報と照合する第１照合部である。
【００２５】
図３において、管理認証処理部１３は、生産設備から送信された情報に基づいてその生産設備に所定の情報を送信（返信）する、次に説明する管理認証処理を実行する。より具体的に管理認証処理部１３は、生産設備から生体情報が送信されると、管理照合部１２（第１照合部）にその生体情報を照合させる。そして、管理認証処理部１３は、送信された生体情報を管理照合部１２が照合できた場合、管理通信部１７を介して照合されたユーザの管理指紋データ１１ｃに記憶されている生体情報および管理ユーザリスト１１ｂに記憶されているユーザ情報をその生産設備に送信する。
【００２６】
すなわち、管理認証処理部１３は、送信された生体情報を管理照合部１２（第１照合部）が照合できた場合、管理記憶部１１（第１記憶部）に記憶されている管理照合部１２によって照合された生体情報、ユーザの識別情報（ユーザ番号４１）、更新日時４５、操作権限情報（操作権限レベル４４）を送信する。また、管理認証処理部１３は、生産設備から送信された生体情報を管理照合部１２が照合できない場合、管理通信部１７を介してその旨をその生産設備に送信する。
【００２７】
管理認証処理部１３は、生産設備からユーザ番号４１と更新日時４５が送信されると、送信された更新日時４５と送信されたユーザ番号４１と同じユーザの管理ユーザリスト１１ｂに記憶されている更新日時４５とを比較する。そして、管理認証処理部１３は、送信された更新日時４５が管理ユーザリスト１１ｂに記憶されている更新日時４５より古い場合、管理通信部１７を介して同じユーザの管理指紋データ１１ｃに記憶されている生体情報と管理ユーザリスト１１ｂに記憶されている操作権限レベル４４、更新日時４５をその生産設備に送信する。
【００２８】
このように、管理認証処理部１３は、送信された更新日時４５が第１記憶部（管理記憶部１１）に記憶されている送信された識別情報（ユーザ番号４１）と同じユーザの更新日時４５より古い場合、第１記憶部に記憶されているユーザの生体情報と更新日時４５を送信する。また、管理認証処理部１３は、第１記憶部に記憶されている生体情報を生産設備に送信する場合、第１記憶部に記憶されているその生体情報に対応するユーザの操作権限レベル４４（操作権限情報）も合わせて送信する。また、管理認証処理部１３は、送信された更新日時４５が同じユーザの第１記憶部に記憶されている更新日時４５と一致する場合、そのユーザの情報が最新である旨をその生産設備に送信する。
【００２９】
なお、管理認証処理部１３は、生産設備からユーザ番号４１（識別情報）、更新日時４５と併せて生体情報番号４３（生体情報を特定する情報）が送信される場合、送信された更新日時４５が第１記憶部に記憶されている更新日時４５より古いが、送信された生体情報番号４３が第１記憶部に記憶されている生体情報番号４３と一致する場合は、生体情報は送信せずに、第１記憶部に記憶されている操作権限情報と更新日時４５のみをその生産設備に送信するようにしてもよい。
【００３０】
図３において、登録用端末４は、登録処理部２０、登録記憶部２１、指紋認証デバイス２２、登録入力部２３、登録表示部２４、登録通信部２５を備えている。登録入力部２３は、キーボード、タッチパネル、マウスなどの入力装置であり、操作コマンドやデータ入力時などに用いられる。登録表示部２４は液晶パネルなどの表示装置であり、各種データや操作画面などを表示する。登録通信部２５は通信インターフェースであり、通信ネットワーク２を介し管理コンピュータ３との間で信号、データの授受を行う。
【００３１】
登録処理部２０はＣＰＵなどの演算装置であり、部品実装ラインＬ１を構成する部品実装用装置（生産設備）を操作するユーザのユーザ情報と生体情報（指紋）を新規に作成、または更新する登録処理を実行する。より具体的には、登録処理部２０は、新規にユーザを登録する場合は、登録用端末４が備える指紋認証デバイス２２でユーザの指紋を読み取り（生体情報を取得し）、登録入力部２３より入力されたユーザ番号４１、操作権限レベル４４などのユーザ情報と併せて記憶装置である登録記憶部２１に一時的に記憶させる。
【００３２】
また、登録処理部２０は、ユーザ情報を更新する場合は、管理コンピュータ３から該当するユーザのユーザ情報を取得して操作権限レベル４４などを変更し、生体情報を更新する場合は指紋認証デバイス２２でユーザの指紋を読み取って登録記憶部２１に一時的に記憶させる。その後、登録処理部２０は、管理コンピュータ３にユーザ情報の登録を依頼すると共に、登録記憶部２１に記憶させた情報を送信する。
【００３３】
図３において、管理データ更新部１４は、登録用端末４から送信された情報（生体情報、ユーザ情報）に基づいて、管理ユーザリスト１１ｂと管理指紋データ１１ｃを更新する管理データ更新処理を実行する。管理データ更新部１４は、ユーザ情報が重複しないかチェックした後、送信された情報と更新日時４５を新規登録し、または必要な情報を更新する。
【００３４】
なお、登録用端末４は、管理コンピュータ３が兼用してもよい。その場合、管理コンピュータ３に登録用の指紋認証デバイス２２を設置して指紋（生体情報）を取得し、管理コンピュータ３の管理入力部１５を使用してユーザ情報の入力、更新が行われる。管理データ更新処理は、ユーザの操作権限レベル４４を変更する場合や、登録されている生体情報（指紋）でユーザが照合できない場合の生体情報の再登録（更新）などに実行される。
【００３５】
図３において、部品実装装置Ｍ４〜Ｍ６は同様の構成をしており、以下、部品実装装置Ｍ４について説明する。部品実装装置Ｍ４は、実装制御部３０、部品実装作業部３１、装置記憶部３２、装置照合部３３、装置認証処理部３４、更新部３５、タッチパネル５、指紋認証デバイス６、装置通信部３６を備えている。装置通信部３６は通信インターフェースであり、通信ネットワーク２を介して管理コンピュータ３との間で信号、データの授受を行う。すなわち、装置通信部３６は、サーバ（管理コンピュータ３）に所定の情報を送信し、サーバから所定の情報を受信する通信部である。
【００３６】
装置記憶部３２は記憶装置であり、部品実装データ３２ａ、装置ユーザリスト３２ｂ、装置指紋データ３２ｃ、操作権限設定情報３２ｄなどを記憶する。部品実装データ３２ａには、部品実装装置Ｍ４における部品実装作業のために必要な基板の情報、部品の種類、実装点の座標などの情報が生産する実装基板の種類毎に記憶されている。装置ユーザリスト３２ｂには、管理コンピュータ３の管理ユーザリスト１１ｂに記憶されているユーザのうち、部品実装装置Ｍ４で最近認証されたユーザのユーザ情報がリスト形式で記憶されている。すなわち、装置ユーザリスト３２ｂには、管理ユーザリスト１１ｂに記憶されている複数のユーザのうちの一部のユーザのユーザ情報が記憶されている。
【００３７】
ここで図５を参照して、装置ユーザリスト３２ｂの詳細について説明する。装置ユーザリスト３２ｂに記憶（格納）されるユーザの最大数は予め設定されている。図５の例では最大数は８人であるが、最大数は生産設備を操作するユーザの交代頻度や指紋認証の処理時間などを考慮して、適宜設定される。
【００３８】
装置ユーザリスト３２ｂには、管理ユーザリスト１１ｂと同様のユーザ番号４１、ユーザ名４２、生体情報番号４３、操作権限レベル４４、更新日時４５の他、格納番号５１、最終認証日時５２が記憶されている。格納番号５１は、装置ユーザリスト３２ｂに格納されているユーザ情報に順に付した番号（「１」〜「８」）である。最終認証日時５２は、部品実装装置Ｍ４においてそのユーザが認証された最終の日時である。
【００３９】
図３において、装置指紋データ３２ｃには、装置ユーザリスト３２ｂに登録されているユーザの生体情報に装置ユーザリスト３２ｂの生体情報番号４３が関連付けして記憶されている。このように、装置記憶部３２は、管理記憶部１１に記憶されている複数のユーザのうちの一部のユーザの生体情報（装置指紋データ３２ｃ）、操作権限情報（操作権限レベル４４）、更新日時４５、最終認証日時５２などを記憶する第２記憶部である。
【００４０】
操作権限設定情報３２ｄは、認証されたユーザの操作権限レベル４４に対応して部品実装装置Ｍ４に設定される許可された操作内容の制限情報である。なお、操作権限設定情報３２ｄは、部品実装装置Ｍ４〜Ｍ６毎、または部品実装用装置毎に、操作権限レベル４４に対応して許可される操作内容を変えてもよい。
【００４１】
ここで図６を参照して、部品実装装置Ｍ４の操作権限設定情報３２ｄについて説明する。操作権限設定情報３２ｄには、部品実装装置Ｍ４において実行される操作内容６１と、操作内容６１に対して設定された操作可否情報６２が含まれている。操作可否情報６２において、「○」は操作可能であることを、「×」は操作不可であることを示している。
【００４２】
操作内容６１には、「管理情報修正」「オプション設定」「パラメータ修正」「生産作業」が含まれている。「管理情報修正」は、ユーザに関する各種情報の修正操作である。「オプション設定」は、部品実装装置Ｍ４に装備されるオプションに関する情報の設定操作である。「パラメータ修正」は、部品実装装置Ｍ４の調整パラメータのティーチング、装置パラメータの修正操作などである。「生産作業」は、部品実装装置Ｍ４における部品補給、エラー回復操作などの生産作業の操作である。
【００４３】
図６において、例えば、操作権限レベル４４が「管理者」の場合、全ての操作内容６１が許可される。操作権限レベル４４が「サービスエンジニア」の場合、「管理情報修正」以外の操作内容６１が許可される。操作権限レベル４４が「オペレータ」の場合、「生産作業」のみが許可される。
【００４４】
図３において、装置照合部３３は、部品実装装置Ｍ４が備える指紋認証デバイス６によって取得されたユーザの生体情報を装置指紋データ３２ｃに記憶されている生体情報を照合して、一致する生体情報に対応するユーザのユーザ番号４１を特定する装置照合処理を実行する。すなわち、装置照合部３３は、生体情報取得部（指紋認証デバイス６）によって取得された生体情報を装置記憶部３２（第２記憶部）に記憶された生体情報と照合する第２照合部である。
【００４５】
装置認証処理部３４は、指紋認証デバイス６によって取得された生体情報に基づいて管理コンピュータ３に所定の情報を送信し、また管理コンピュータ３から送信された情報に基づいて装置記憶部３２の情報を更新する、次に説明する装置認証処理を実行する。より具体的に装置認証処理部３４は、指紋認証デバイス６によって生体情報が取得されると、装置照合部３３（第２照合部）にその生体情報を照合させる。そして、装置認証処理部３４は、取得された生体情報を装置照合部３３が照合できない場合、装置通信部３６（通信部）を介して取得された生体情報を管理コンピュータ３（サーバ）に送信する。
【００４６】
また、装置認証処理部３４は、取得された生体情報を装置照合部３３が照合できた場合、照合されたユーザの装置ユーザリスト３２ｂ記憶されているユーザ番号４１と更新日時４５を装置通信部３６を介して管理コンピュータ３に送信する。すなわち、装置認証処理部３４は、取得された生体情報を装置照合部３３（第２照合部）が照合できた場合、装置記憶部３２（第２記憶部）に記憶されている装置照合部３３によって照合された生体情報に対応するユーザの識別情報（ユーザ番号４１）と更新日時４５を管理コンピュータ３（サーバ）に送信する。
【００４７】
また、装置認証処理部３４は、管理コンピュータ３から送信された生体情報、ユーザ情報を装置通信部３６が受信すると、受信した情報に基づいて、更新部３５に装置記憶部３２の情報を更新させる。より具体的に更新部３５は、装置通信部３６（通信部）が生体情報を送信した後に生体情報とユーザ情報を受信すると、受信したユーザの生体情報を装置指紋データ３２ｃに、ユーザ情報と最終認証日時５２を装置ユーザリスト３２ｂに記憶させる。
【００４８】
すなわち、更新部３５は、装置通信部３６が受信したユーザの生体情報とユーザ情報を装置記憶部３２（第２記憶部）に記憶させる。これによって、指紋認証デバイス６によって取得された生体情報と一致するユーザの情報が部品実装装置Ｍ４になかった場合に、管理コンピュータ３より送信された生体情報とユーザ情報が装置記憶部３２に記憶される。
【００４９】
更新部３５は、装置ユーザリスト３２ｂに最大数のユーザ情報が格納（記憶）されている場合、最終認証日時５２が所定日時（例えば１年）より古いユーザのユーザ情報を装置ユーザリスト３２ｂから削除し、そのユーザの生体情報を装置指紋データ３２ｃから削除する。すなわち、更新部３５は、最終認証日時５２が所定日時より古いユーザの情報を装置記憶部３２（第２記憶部）から削除する。その後、更新部３５は、管理コンピュータ３から送信された情報を装置記憶部３２に記憶させる。
【００５０】
また、更新部３５は、装置ユーザリスト３２ｂに最大数のユーザ情報が格納（記憶）されている場合、最終認証日時５２が最も古いユーザのユーザ情報を装置ユーザリスト３２ｂから削除し、そのユーザの生体情報を装置指紋データ３２ｃから削除する。すなわち、予め設定された最大数のユーザの情報が装置記憶部３２（第２記憶部）に記憶されている場合、更新部３５は、最終認証日時５２が最も古いユーザの情報を装置記憶部３２から削除し、装置通信部３６（通信部）が受信した生体情報を装置記憶部３２に記憶させる。
【００５１】
また、更新部３５は、装置通信部３６がユーザ番号４１、更新日時４５を送信した後に生体情報、更新日時４５、操作権限レベル４４を受信すると、受信した生体情報で装置指紋データ３２ｃを更新し、受信した生体情報番号４３、操作権限レベル４４、更新日時４５で装置ユーザリスト３２ｂを更新する。すなわち、更新部３５は、装置通信部３６（受信部）が受信した生体情報と更新日時４５、操作権限レベル４４（操作権限情報）に基づいて装置記憶部３２（第２記憶部）の情報を更新する。これによって、指紋認証デバイス６によって取得された生体情報と一致するユーザの情報が、管理コンピュータ３と部品実装装置Ｍ４の間で同期される。また、更新部３５は、ユーザが認証されると装置ユーザリスト３２ｂの最終認証日時５２を更新する。
【００５２】
なお、装置認証処理部３４は、部品実装装置Ｍ４（生産設備）から送信された生体情報を照合できない旨の情報を装置通信部３６が受信すると、タッチパネル５に指紋（生体情報）が認証できない旨を報知させる。すなわち、タッチパネル５は、指紋が認証できない旨を報知する報知部である。ユーザは、指紋認証デバイス６で指紋を読み取らせた後にタッチパネル５に指紋が認証できない旨の表示がされると、指紋の読み取りを再実行する。または、ユーザは、管理者にユーザ情報の新規登録、または指紋（生体情報）の再登録（更新）を依頼する。
【００５３】
このように、部品実装装置Ｍ４（生産設備）は、装置記憶部３２（第２記憶部）と、指紋認証デバイス６（生体情報取得部）と、装置照合部３３（第２照合部）と、装置認証処理部３４と、更新部３５と、装置通信部３６（通信部）とを備えている。部品実装装置Ｍ４は、指紋認証デバイス６によって取得した生体情報でユーザを認証すると共に、管理コンピュータ３が記憶する生体情報やユーザ情報と、装置記憶部３２の情報を同期する生体認証装置である。この生体認証装置は、製品を生産する生産設備に備えられる。
【００５４】
管理コンピュータ３は、管理記憶部１１（第１記憶部）と、管理照合部１２（第１照合部）とを備え、生体認証装置から送信された情報に対応する所定の情報を生体認証装置に送信（返信）するサーバである。そして、部品実装装置Ｍ４（生体認証装置）と管理コンピュータ３（サーバ）を備える部品実装システム１は、生体情報取得部で取得した生体情報でユーザを認証する生体認証システムである。
【００５５】
本実施の形態の生体認証システムのサーバには、部品実装ラインＬ１を構成する生産設備を操作する全てのユーザの生体情報とユーザ情報が記憶されている。一方で、各生産設備（生体認証装置）には、その生産設備で最近認証されたユーザ（一部のユーザ）の生体情報とユーザ情報のみが、サーバの情報と同期されて記憶されている。例えば、部品実装装置Ｍ４では最大で最近認証された８人分のユーザの情報のみが記憶されている。
【００５６】
これによって、生産設備（生体認証装置）での認証処理を短時間で終了することができる。また、生産設備とサーバ間の情報の同期では、データ量の大きな生体情報の送信回数を削減することができる。また、処理時間の長いサーバでの照合処理の回数を削減することで、生体認証システムの認証処理に要する時間を短縮することができる。
【００５７】
図３において、実装制御部３０は、部品実装データ３２ａに基づいて部品実装作業部３１を制御して、基板に部品を実装する部品実装作業を実行させる。また、実装制御部３０は、ユーザが指紋認証デバイス６で指紋を読み取らせて認証されると、認証されたユーザの装置ユーザリスト３２ｂに含まれている操作権限情報（操作権限レベル４４）と操作権限設定情報３２ｄに基づいて、部品実装作業部３１に対する実行可能な操作を変更する。すなわち、生体認証装置を備える生産設備（部品実装装置Ｍ４）は、装置記憶部３２（第２記憶部）に記憶されている認証されたユーザの操作権限情報（操作権限レベル４４）に基づいて、実行可能な操作を変更する。
【００５８】
本実施の形態の生体認証システムでは、生産設備が有する第２記憶部に記憶されている操作権限情報がサーバが有する第１記憶部に記憶されている操作権限情報と同期された後に、その生産設備で実行可能な操作が変更される。また、操作権限情報に対応する実行可能な操作内容は、各生産設備が有する操作権限設定情報３２ｄに基づいて、生産設備毎に設定することができる。これによって、生体認証システムに含まれるいずれの生産設備にも、同じユーザに対してはサーバが有する第１記憶部に記憶されている操作権情報を適用することができると共に、各生産設備で許可される操作内容を異ならせることができる。
【００５９】
次に図７〜図１０のフローに沿って、図４、図５を参照しながら、サーバ（管理コンピュータ３）と、生体情報取得部（指紋認証デバイス６）を有する生体認証装置（部品実装装置Ｍ４）とを備える生体認証システム（部品実装システム１）における生体認証方法について説明する。図７において、まず、部品実装装置Ｍ４において指紋認証デバイス６によってユーザの指紋（生体情報）が取得される（ＳＴ１：生体情報取得工程）。次いで装置照合部３３は取得された生体情報を装置記憶部３２に記憶されている生体情報と照合し（ＳＴ２）、装置認証処理部３４は照合できたか否かを判断する（ＳＴ３）。
【００６０】
取得された生体情報を照合できない場合（ＳＴ３においてＮｏ）、装置認証処理部３４は、後述する照合不可認証処理を実行する（ＳＴ４：照合不可認証処理工程）。取得された生体情報を照合できた場合（ＳＴ３においてＹｅｓ）、装置認証処理部３４は、後述する照合後認証処理を実行する（ＳＴ５：照合後認証処理工程）。照合不可認証処理工程（ＳＴ４）または照合後認証処理工程（ＳＴ５）が終了してユーザが認証されると、次いで実装制御部３０は、装置記憶部３２に記憶されてる認証されたユーザの操作権限情報（操作権限レベル４４）に基づいて、部品実装装置Ｍ４（生産設備）において操作可能な操作を変更する（ＳＴ６）。
【００６１】
次に図８のフローに沿って、照合不可認証処理工程（ＳＴ４）の詳細について説明する。ここでは、ユーザ番号４１が「１００７」のユーザ（図４参照）が指紋認証デバイス６で指紋を読み取らせたとする（ＳＴ１）。装置ユーザリスト３２ｂ（図５参照）にはユーザ番号４１が「１００７」のユーザ情報がなく、装置指紋データ３２ｃにユーザ番号４１が「１００７」の生体情報が記憶されていない。そのため、装置照合部３３は取得された生体情報を装置記憶部３２に記憶されている生体情報で照合することができない（ＳＴ３においてＮｏ）。
【００６２】
そこで、装置認証処理部３４は、装置通信部３６を介して取得された生体情報を管理コンピュータ３（サーバ）に送信する（ＳＴ１１）。次いで管理コンピュータ３において、管理照合部１２は送信された生体情報を管理記憶部１１に記憶されている生体情報と照合して（ＳＴ１２）、管理認証処理部１３は照合できたか否かを判断する（ＳＴ１３）。管理ユーザリスト１１ｂ（図４参照）にユーザ番号４１が「１００７」のユーザ情報があり、管理指紋データ１１ｃにユーザ番号４１が「１００７」の生体情報が記憶されているため、管理照合部１２は送信された生体情報を照合することができる。
【００６３】
図８において、送信された生体情報を照合できた場合（ＳＴ１３においてＹｅｓ）、管理認証処理部１３は、照合されたユーザの管理指紋データ１１ｃに記憶されている生体情報と、管理ユーザリスト１１ｂに記憶されているユーザ情報（ユーザ番号４１、ユーザ名４２、生体情報番号４３、操作権限レベル４４、更新日時４５）を部品実装装置Ｍ４（生体認証装置）に送信する（ＳＴ１４）。次いで部品実装装置Ｍ４において装置通信部３６は、管理コンピュータ３から送信された各種情報を受信する。次いで更新部３５は、送信されたユーザの生体情報を装置指紋データ３２ｃに、ユーザ情報を装置ユーザリスト３２ｂに追加して記憶させる（ＳＴ１５：追加更新処理工程）。
【００６４】
ここで図９のフローに沿って、追加更新処理工程（ＳＴ１５）の詳細について説明する。まず、更新部３５は、装置ユーザリスト３２ｂに空きがあるか否かを判断する（ＳＴ２１）。すなわち、更新部３５は、予め設定された最大数のユーザ情報が装置記憶部３２（第２記憶部）に記憶されているか否かを判断する。装置ユーザリスト３２ｂに空きがない場合（ＳＴ２１においてＮｏ）、更新部３５は、装置ユーザリスト３２ｂに含まれる最終認証日時５２が所定日時より古いユーザ情報があるか否かを判断する（ＳＴ２２）。
【００６５】
所定日時より古いユーザ情報がある場合（ＳＴ２２においてＹｅｓ）、更新部３５は、最終認証日時５２が所定日時より古いユーザ情報（ユーザの情報）を装置ユーザリスト３２ｂから削除し、生体情報を装置指紋データ３２ｃから削除する（ＳＴ２３）。これによって、所定日時より古いユーザの情報が装置記憶部３２（第２記憶部）から削除される。なお、装置ユーザリスト３２ｂに空きがある場合でも（ＳＴ２１においてＹｅｓ）、所定のタイミングで（ＳＴ２３）を実行するようにしてもよい。
【００６６】
図９において、所定日時より古いユーザ情報がない場合（ＳＴ２２においてＮｏ）、更新部３５は、最終認証日時５２が最も古いユーザ情報を装置ユーザリスト３２ｂから削除し、生体情報を装置指紋データ３２ｃから削除する（ＳＴ２４）。これによって、最終認証日時５２が最も古いユーザの情報が装置記憶部３２（第２記憶部）から削除される。
【００６７】
装置ユーザリスト３２ｂに空きがある場合（ＳＴ２１においてＹｅｓ）はそのままで、空きがない場合は古い情報を削除した後に（ＳＴ２３，ＳＴ２４）、更新部３５は、管理コンピュータ３から送信されたユーザ情報（ユーザ番号４１、ユーザ名４２、生体情報番号４３、操作権限レベル４４、更新日時４５）を装置ユーザリスト３２ｂに追加し、生体情報を装置指紋データ３２ｃに追加する（ＳＴ２５）。
【００６８】
すなわち、更新部３５は、送信されたユーザの生体情報とユーザ情報を装置記憶部３２（第２記憶部）に記憶する。次いで更新部３５は、ユーザ情報を追加した日時を最終認証日時５２として装置ユーザリスト３２ｂに追加する（ＳＴ２６）。これにより、一連の追加更新処理工程（ＳＴ１５）が終了する。すなわち、指紋認証デバイス６で読み取った指紋（生体情報）によるユーザの認証が終了する。なお、送信された生体情報を照合できない場合（ＳＴ１３においてＮｏ）、管理認証処理部１３はその旨を装置通信部３６に送信し、装置認証処理部３４はタッチパネル５にその旨を報知させる（ＳＴ１６）。
【００６９】
次に図１０のフローに沿って、照合後認証処理工程（ＳＴ５）の詳細について説明する。ここでは、ユーザ番号４１が「１００６」のユーザが指紋認証デバイス６で指紋を読み取らせたとする（ＳＴ１）。装置ユーザリスト３２ｂ（図５参照）にはユーザ番号４１が「１００６」のユーザ情報があり、装置指紋データ３２ｃにユーザ番号４１が「１００６」の生体情報が記憶されている。そのため、装置照合部３３は取得された生体情報を装置記憶部３２に記憶されている生体情報で照合することができる（ＳＴ３においてＹｅｓ）。
【００７０】
そこで、装置認証処理部３４は、装置通信部３６を介して装置ユーザリスト３２ｂに記憶されている照合されたユーザの識別情報（ユーザ番号４１）と更新日時４５（「１７１０２３１００６」）を管理コンピュータ３（サーバ）に送信する（ＳＴ３１）。次いで管理コンピュータ３において、管理認証処理部１３は、送信された更新日時４５が管理ユーザリスト１１ｂに記憶されている送信された識別情報（ユーザ番号４１）と同じユーザの更新日時４５より古いか否かを判断する（ＳＴ３２）。送信された更新日時４５は、管理ユーザリスト１１ｂ（図４参照）に記憶されているユーザ番号４１が「１００６」のユーザの更新日時４５（「１８０３１５１３５５」）より古い。
【００７１】
図１０において、送信された更新日時４５が古い場合（ＳＴ３２においてＹｅｓ）、管理認証処理部１３は、識別情報が同じユーザの管理指紋データ１１ｃに記憶されている生体情報と、管理ユーザリスト１１ｂに記憶されている更新日時４５、生体情報番号４３、操作権限レベル４４を部品実装装置Ｍ４（生体認証装置）に送信する（ＳＴ３３）。
【００７２】
次いで部品実装装置Ｍ４において装置通信部３６は、管理コンピュータ３から送信された各種情報を受信する。次いで更新部３５は、送信されたユーザの生体情報を装置指紋データ３２ｃに、更新日時４５、生体情報番号４３、操作権限レベル４４を装置ユーザリスト３２ｂに上書きして更新させる（ＳＴ３４）。すなわち、更新部３５は、受信したユーザの生体情報と更新日時４５に基づいて装置記憶部３２（第２記憶部）の情報を更新する。
【００７３】
図１０において、次いで更新部３５は、送信されたユーザの装置ユーザリスト３２ｂの最終認証日時５２を更新する（ＳＴ３５）。送信された更新日時４５が管理ユーザリスト１１ｂに記憶されている送信された識別情報（ユーザ番号４１）と同じユーザの更新日時４５と一致する場合（ＳＴ３２においてＮｏ）、管理認証処理部１３は、ユーザの情報が最新である旨を部品実装装置Ｍ４（生体認証装置）に送信する。次いで更新部３５は、送信されたユーザの装置ユーザリスト３２ｂの最終認証日時５２を更新する（ＳＴ３５）。これにより、一連の照合後認証処理工程（ＳＴ５）が終了する。すなわち、指紋認証デバイス６で読み取った指紋（生体情報）によるユーザの認証が終了する。
【００７４】
上記のように、照合後認証処理工程（ＳＴ５）では、データ量の大きな生体情報は生体認証装置（部品実装装置Ｍ４）からサーバ（管理コンピュータ３）に送信されない。また、生体認証装置に記憶されているユーザの情報がサーバに記憶されている情報と同じ場合は、古い情報（生体情報、操作権限レベル４４、更新日時４５、生体情報番号４３）のみがサーバから生体認証装置に送信（返信）される。これによって、データの送受信時間を短縮することができる。また、照合後認証処理工程（ＳＴ５）では、サーバにおける照合処理も省略されており、認証に必要な時間を短縮することができる。
【００７５】
上記説明したように、本実施の形態の生体認証システム（部品実装システム１）は、生体認証装置（部品実装装置Ｍ４〜Ｍ６）とサーバ（管理コンピュータ３）を備えてユーザを認証する。サーバは、複数のユーザの生体情報を記憶する第１記憶部（管理記憶部１１）と、生体認証装置から送信された生体情報を第１記憶部に記憶された生体情報と照合する第１照合部（管理照合部１２）を備えている。
【００７６】
生体認証装置は、複数のユーザのうちの一部のユーザの生体情報を記憶する第２記憶部（装置記憶部３２）と、生体情報をユーザから取得する生体情報取得部（指紋認証デバイス６）と、生体情報取得部によって取得された生体情報を第２記憶部に記憶された生体情報と照合する第２照合部（装置照合部３３）と、サーバに所定の情報を送信し、サーバから所定の情報を受信する通信部（装置通信部３６）と、第２記憶部の情報を更新する更新部３５を備えている。
【００７７】
そして、通信部は、取得された生体情報を第２照合部が照合できない場合、取得された生体情報をサーバに送信し、サーバは、送信された生体情報を第１照合部が照合できた場合、第１記憶部に記憶されている第１照合部によって照合された生体情報を通信部に送信し、更新部３５は、通信部が受信した生体情報を第２記憶部に記憶させる。これによって、取得した生体情報によりユーザを短時間で認証することができる。
【００７８】
なお、上記の生体認証システムはユーザから取得する生体情報として指紋を使用していたが、生体情報は指紋に限定されることはない。例えば、生体情報は、虹彩情報、顔認識情報、血管情報、音声情報などであってもよい。その場合、生体情報取得部は、取得対象の生体情報に応じて、可視光カメラ、赤外線カメラ、マイクなどが使用される。また、生産設備は実装基板を生産する部品実装用装置に限定されることはない。例えば、生産設備は家電製品を組み立てる家電生産ラインを構成する製造装置であっても、食品加工製品を製造する食品加工ラインを構成する食品加工装置であってもよい。
【産業上の利用可能性】
【００７９】
本発明の生体認証システムおよび生体認証方法は、取得した生体情報によりユーザを短時間で認証することができるという効果を有し、製品を生産する分野において有用である。
【符号の説明】
【００８０】
１  部品実装システム（生体認証システム）
３  管理コンピュータ（サーバ）
５  タッチパネル（報知部）
６  指紋認証デバイス（生体情報取得部）
Ｍ１  基板供給装置（部品実装用装置、生産設備、生体認証装置）
Ｍ２  はんだ印刷装置（部品実装用装置、生産設備、生体認証装置）
Ｍ３  印刷後検査装置（部品実装用装置、生産設備、生体認証装置）
Ｍ４〜Ｍ６  部品実装装置（部品実装用装置、生産設備、生体認証装置）
Ｍ７  実装後検査装置（部品実装用装置、生産設備、生体認証装置）
Ｍ８  リフロー装置（部品実装用装置、生産設備、生体認証装置）
Ｍ９  基板回収装置（部品実装用装置、生産設備、生体認証装置）
【図１】
2019200633.tif 000003
【図２】
2019200633.tif 000004
【図３】
2019200633.tif 000005
【図４】
2019200633.tif 000006
【図５】
2019200633.tif 000007
【図６】
2019200633.tif 000008
【図７】
2019200633.tif 000009
【図８】
2019200633.tif 000010
【図９】
2019200633.tif 000011
【図１０】
2019200633.tif 000012